(57)【要約】【課題】多くの商品の中から受取人が商品を選択でき、しかも送り主が贈答品の金額として指定した贈答金額を受取人に知られないインターネットショッピングシステムを提供する。【解決手段】サーバ１０は、出品される商品の商品情報を取得する出品受付手段１１と、送り主の端末１から入力された贈答金額及びその口数を取得する贈答金額取得手段１１と、贈答金額に関連付けられるとともに贈答金額を秘匿して直接表示しない金額コードを発行する金額コード発行手段１１と、金額コードが受取人の端末２から入力されると、出品された商品の中から金額コードに対応した価格以下の商品全てを抽出するとともに、抽出した商品の価格は非表示の状態でその価格以外の商品情報を受取人の端末２で表示可能にする商品表示手段１１と、商品の選択を受け付ける商品選択受付手段１１を備える。【選択図】図４
2015225391.tif 000002
【特許請求の範囲】
【請求項１】
贈答品の送り主の端末と、贈答品の受取人の端末と、商品の出品者の端末と、ショッピングサイトの運営者のサーバがネットワークを介して接続されたインターネットショッピングシステムにおいて、
前記サーバは、
前記出品者の端末から入力された前記ショッピングサイトに出品される商品の名称，価格，画像等からなる商品情報を取得する出品受付手段と、
前記送り主の端末から入力された贈答金額及びその口数を取得する贈答金額取得手段と、
前記贈答金額に関連付けられるとともに前記贈答金額を秘匿して直接表示しない金額コードを発行する金額コード発行手段と、
前記金額コードが前記受取人の端末から入力されると、前記出品された商品の中から前記金額コードに対応した価格以下の商品全てを抽出するとともに、前記抽出した商品の価格は非表示の状態でその価格以外の前記商品情報を前記受取人の端末で表示可能にする商品表示手段と、
前記商品表示手段で表示された商品の中から前記受取人の端末による商品の選択を受け付ける商品選択受付手段と、
前記受取人の端末から入力された前記受取人の氏名，住所等からなる受取人情報を取得する受取人情報取得手段と、
前記商品選択受付手段で受け付けた商品の前記商品情報と前記商品を選択した受取人の前記受取人情報とを関連付けて発注情報として保持する発注情報保持手段を備えることを特徴とするインターネットショッピングシステム。
【請求項２】
贈答品の送り主の端末と、贈答品の受取人の端末と、商品の出品者の端末と、ショッピングサイトの運営者のサーバがネットワークを介して接続されたインターネットショッピングシステムにおいて、
前記サーバは、
前記出品者の端末から入力された前記ショッピングサイトに出品される商品の名称，価格，画像等からなる商品情報を取得する出品受付手段と、
前記送り主の端末から入力された贈答金額及びその口数を取得する贈答金額取得手段と、
前記贈答金額に関連付けられるとともに前記贈答金額を秘匿して直接表示しない金額コードを発行する金額コード発行手段と、
前記金額コードが前記受取人の端末から入力されると、前記出品された商品の中から前記金額コードに対応した価格以下の商品全てを抽出するコースか、又は前記出品された商品の中から前記金額コードに対応した価格帯の商品を抽出するコースかのいずれか一つを選択させて、選択された前記コース側の商品を抽出し、前記抽出した商品の価格は非表示の状態でその価格以外の前記商品情報を前記受取人の端末で表示可能にする商品表示手段と、
前記商品表示手段で表示された商品の中から前記受取人の端末による商品の選択を受け付ける商品選択受付手段と、
前記受取人の端末から入力された前記受取人の氏名，住所等からなる受取人情報を取得する受取人情報取得手段と、
前記商品選択受付手段で受け付けた商品の前記商品情報と前記商品を選択した受取人の前記受取人情報とを関連付けて発注情報として保持する発注情報保持手段を備えることを特徴とするインターネットショッピングシステム。
【請求項３】
前記贈答金額と前記受取人が選択した商品の価格の差額から使用可能額を決定し、前記使用可能額以下の商品全て又は前記使用可能額に対応した価格帯の商品を、それらの価格は非表示の状態でその価格以外の前記商品情報を前記受取人の端末で表示可能にする商品再表示手段をさらに備え、
前記商品選択受付手段は、前記商品再表示手段で表示された商品の中から前記受取人の端末による商品の選択も受け付けることを特徴とする請求項１又は２に記載のインターネットショッピングシステム。
【請求項４】
前記商品選択受付手段での前記商品の選択後に、前記使用可能額と前記選択した商品の価格の比率を前記受取人の端末で表示可能にする比率表示手段をさらに備えることを特徴とする請求項３に記載のインターネットショッピングシステム。
【請求項５】
前記商品表示手段又は前記商品再表示手段において前記金額コード又は前記使用可能額に対応した価格以下の商品を全て抽出して表示可能としたとき、同じ商品を同時に複数個選択可能にしたことを特徴とする請求項１乃至４のうちいずれか一つに記載のインターネットショッピングシステム。
【請求項６】
前記商品表示手段又は前記商品再表示手段において、前記商品の価格によらずランダムに前記価格以外の商品情報を表示可能にしたことを特徴とする請求項１乃至５のうちいずれか一つに記載のインターネットショッピングシステム。
【発明の詳細な説明】
【技術分野】
【０００１】
本発明は、贈答品の送り主の端末と、贈答品の受取人の端末と、商品の出品者の端末と、ショッピングサイトの運営者のサーバがネットワークを介して接続されたネットショッピングシステムに関するものである。
【背景技術】
【０００２】
入学祝いや引き出物等の贈答品を送る場合、その贈答品が受取人の趣味に合わなかったり、受取人が既にその贈答品と同じ物を持っていたりすることがあるので、送り主が心を込めて選んだ贈答品であっても確実に受取人に喜んでもらえるとは限らない。
【０００３】
このような事態を避けるために、受取人が複数の贈答品の中から自分の好きなものを選ぶことができるカタログギフトを贈ることも一般的になってきている。
カタログギフトでは、贈答金額に対応した価格帯の商品のみ掲載されているカタログが受取人に渡され、その商品の中から受取人が欲しい商品を選ぶ。つまり、金額が明示されていない例えば１００００円コースのカタログ、５０００円コースのカタログ、３０００円コースのカタログ等があり、受取人は受け取った一冊のカタログの中から好きな商品を一つ選ぶ。
【０００４】
しかし、高額商品に関しては、カタログギフトの運営者が準備できる商品の品数（種類）は安価な商品と比べるとどうしても少なくなってしまうので、その少ない商品の中から受取人が商品を選ばなければならないという問題がある。
また、高額商品だからといってその中に受取人が欲しい商品があるとは限らず、それよりも安価な商品が載っているカタログの中に受取人が欲しい商品があることも少なくない。
【０００５】
一方、近年では一般家庭にもパソコンの普及が進んでおり、贈答に関してもインターネットショッピングが広く利用されている。その中には、贈答品の送り主が事前にショッピングサイトの運営者に贈答金額分を支払っておき、贈答品の受取人がその金額分の商品をショッピングサイトにある全商品の中から選択するというインターネットショッピングの形態もある（例えば、非特許文献１参照）。
【先行技術文献】
【特許文献】
【０００６】
【非特許文献１】アマゾンジャパン株式会社、"Ａｍａｚｏｎギフト券"、［ｏｎｌｉｎｅ］、［平成２６年５月２０日検索］、インターネット〈ＵＲＬ：ｈｔｔｐ：／／ｗｗｗ．ａｍａｚｏｎ．ｃｏ．ｊｐ／ｇｐ／ｇｃ〉
【０００７】
このインターネットショッピングシステムでは、送り主から送られたギフト券等に記載された金券コードを、受取人がショッピングサイト上で入力することにより、受取人はそのショッピングサイトで送り主が指定した例えば５０００円分の買い物をすることができる。
【発明の概要】
【発明が解決しようとする課題】
【０００８】
しかしながら、このようなインターネットショッピングでは、受取人が欲しい商品を確実に受け取ることができるが、一方で送り主が贈答品の金額として指定した贈答金額を受取人に知られてしまうので、送り主の中にはそれを快く思わない人も多いという問題もある。
【０００９】
そこで、本発明の目的とするところは、多くの商品の中から受取人が商品を選択でき、しかも送り主が贈答品の金額として指定した贈答金額を受取人に知られないインターネットショッピングシステムを提供することにある。
【課題を解決するための手段】
【００１０】
上記の目的を達成するために、本発明の請求項１に記載のインターネットショッピングシステムは、贈答品の送り主の端末（１）と、贈答品の受取人の端末（２）と、商品の出品者の端末（３）と、ショッピングサイトの運営者のサーバ（１０）がネットワーク（１００）を介して接続されたインターネットショッピングシステムにおいて、前記サーバ（１０）は、前記出品者の端末（３）から入力された前記ショッピングサイトに出品される商品の名称，価格，画像等からなる商品情報を取得する出品受付手段（１１）と、前記送り主の端末（１）から入力された贈答金額及びその口数を取得する贈答金額取得手段（１１）と、前記贈答金額に関連付けられるとともに前記贈答金額を秘匿して直接表示しない金額コードを発行する金額コード発行手段（１１）と、前記金額コードが前記受取人の端末（２）から入力されると、前記出品された商品の中から前記金額コードに対応した価格以下の商品全てを抽出するとともに、前記抽出した商品の価格は非表示の状態でその価格以外の前記商品情報を前記受取人の端末（２）で表示可能にする商品表示手段（１１）と、前記商品表示手段（１１）で表示された商品の中から前記受取人の端末（２）による商品の選択を受け付ける商品選択受付手段（１１）と、前記受取人の端末（２）から入力された前記受取人の氏名，住所等からなる受取人情報を取得する受取人情報取得手段（１１）と、前記商品選択受付手段（１１）で受け付けた商品の前記商品情報と前記商品を選択した受取人の前記受取人情報とを関連付けて発注情報として保持する発注情報保持手段（１１，１２）を備えることを特徴とする。
【００１１】
また、請求項２に記載のインターネットショッピングシステムは、贈答品の送り主の端末（１）と、贈答品の受取人の端末（２）と、商品の出品者の端末（３）と、ショッピングサイトの運営者のサーバ（１０）がネットワーク（１００）を介して接続されたインターネットショッピングシステムにおいて、前記サーバ（１０）は、前記出品者の端末（３）から入力された前記ショッピングサイトに出品される商品の名称，価格，画像等からなる商品情報を取得する出品受付手段（１１）と、前記送り主の端末（１）から入力された贈答金額及びその口数を取得する贈答金額取得手段（１１）と、前記贈答金額に関連付けられるとともに前記贈答金額を秘匿して直接表示しない金額コードを発行する金額コード発行手段（１１）と、前記金額コードが前記受取人の端末（２）から入力されると、前記出品された商品の中から前記金額コードに対応した価格以下の商品全てを抽出するコースか、又は前記出品された商品の中から前記金額コードに対応した価格帯の商品を抽出するコースかのいずれか一つを選択させて、選択された前記コース側の商品を抽出し、前記抽出した商品の価格は非表示の状態でその価格以外の前記商品情報を前記受取人の端末（２）で表示可能にする商品表示手段（１１）と、前記商品表示手段（１１）で表示された商品の中から前記受取人の端末（２）による商品の選択を受け付ける商品選択受付手段（１１）と、前記受取人の端末（２）から入力された前記受取人の氏名，住所等からなる受取人情報を取得する受取人情報取得手段（１１）と、前記商品選択受付手段（１１）で受け付けた商品の前記商品情報と前記商品を選択した受取人の前記受取人情報とを関連付けて発注情報として保持する発注情報保持手段（１１，１２）を備えることを特徴とする。
【００１２】
また、請求項３に記載のインターネットショッピングシステムは、前記贈答金額と前記受取人が選択した商品の価格の差額から使用可能額を決定し、前記使用可能額以下の商品全て又は前記使用可能額に対応した価格帯の商品を、それらの価格は非表示の状態でその価格以外の前記商品情報を前記受取人の端末（２）で表示可能にする商品再表示手段（１１）をさらに備え、前記商品選択受付手段（１１）は、前記商品再表示手段（１１）で表示された商品の中から前記受取人の端末（２）による商品の選択も受け付けることを特徴とする。
【００１３】
また、請求項４に記載のインターネットショッピングシステムは、前記商品選択受付手段（１１）での前記商品の選択後に、前記使用可能額と前記選択した商品の価格の比率を前記受取人の端末（２）で表示可能にする比率表示手段（１１）をさらに備えることを特徴とする。
【００１４】
また、請求項５に記載のインターネットショッピングシステムは、前記商品表示手段（１１）又は前記商品再表示手段（１１）において前記金額コード又は前記使用可能額に対応した価格以下の商品を全て抽出して表示可能としたとき、同じ商品を同時に複数個選択可能にしたことを特徴とする。
【００１５】
また、請求項６に記載のインターネットショッピングシステムは、前記商品表示手段（１１）又は前記商品再表示手段（１１）において、前記商品の価格によらずランダムに前記価格以外の商品情報を表示可能にしたことを特徴とする。
【００１６】
ここで、上記括弧内の記号は、図面および後述する発明を実施するための形態に掲載された対応要素または対応事項を示す。
【発明の効果】
【００１７】
本発明の請求項１に記載のインターネットショッピングシステムによれば、金額コードが受取人の端末から入力されると、出品された商品の中から金額コードに対応した価格以下の商品全てを抽出し、受取人はその商品の中から選択できるので、受取人は非常に多くの商品の中から自分の好みにあった商品を選ぶことができる。
つまり、従来の冊子のカタログギフトでは、受取人が手にするカタログは贈答金額に対応した価格帯の商品のみが記載されており、贈答金額よりも安価な商品から受取人が選びたくてもできなかったが、本発明では金額コードに対応した価格以下の商品全ての中から受取人は選択可能であり、選択肢が非常に多い。
また、送り主がショッピングサイトの運営者に贈答金額を支払い、その後で受取人に複数の商品の中から自分の好みに合う商品を選択してもらう形態のインターネットショッピングであっても、贈答金額がいくらであるかを受取人に知られずに済む。
【００１８】
また、請求項２に記載のインターネットショッピングシステムによれば、金額コードが受取人の端末から入力されると、出品された商品の中から金額コードに対応した価格以下の商品全てを抽出するコースか、又は出品された商品の中から金額コードに対応した価格帯の商品を抽出するコースかのいずれか一つを選択させるので、受取人が商品全てを抽出するコースを選択した場合には、受取人は非常に多くの商品の中から自分の好みにあった商品を選ぶことができる。
一方、金額コードに対応した価格帯の商品を抽出するコースを選択した場合には、表示される商品数が制限されるので、受取人が目当ての商品を探し難くなることを防ぐことができる。
また、送り主がショッピングサイトの運営者に贈答金額を支払い、その後で受取人に複数の商品の中から自分の好みに合う商品を選択してもらう形態のインターネットショッピングであっても、贈答金額がいくらであるかを受取人に知られずに済む。
【００１９】
また、請求項３に記載のインターネットショッピングシステムによれば、請求項１又は２に記載の発明の効果に加え、贈答金額と受取人が選択した商品の価格の差額から使用可能額を決定し、使用可能額以下の商品全て又は使用可能額に対応した価格帯の商品を、それらの価格は非表示の状態でその価格以外の商品情報を受取人の端末で表示可能にし、表示された商品の中から受取人の端末による商品の選択も受け付けるので、受取人が最初に贈答金額よりも安価な商品を選択しても損したと感じず、むしろ複数個の商品を受け取れて受取人の満足度が高くなる。
【００２０】
また、請求項４に記載のインターネットショッピングシステムによれば、請求項３に記載の発明の効果に加え、使用可能額と選択した商品の価格の比率を受取人の端末で表示可能にするので、再度商品を選ぶために現在の商品選択の調整ができ、商品を無駄なく選ぶことができる。しかも、これは受取人に対して贈答金額を秘匿したままで行うことができる。
【００２１】
また、請求項５に記載のインターネットショッピングシステムによれば、請求項１乃至４に記載の発明の効果に加え、金額コード又は前記使用可能額に対応した価格以下の商品を全て抽出して表示可能としたとき、同じ商品を同時に複数個選択可能にしたので、同じ商品が複数個欲しい場合の商品選択の手間が少なくなる。
【００２２】
また、請求項６に記載のインターネットショッピングシステムによれば、請求項１乃至５に記載の発明の効果に加え、商品の価格によらずランダムに価格以外の商品情報を表示可能にしたので、贈答金額の秘匿性がより高くなる。すなわち、商品情報の表示を価格の高い順にすると、受取人が上位に表示された商品を見ることで何となく贈答金額がわかってしまうが、ランダム表示すると贈答金額がいくらであるのかよりわかり難くなる。
【００２３】
なお、本発明のインターネットショッピングシステムのように、金額コードに対応した価格以下の商品全てを抽出して、しかも価格は非表示の状態でその価格以外の商品情報を受取人の端末で表示可能とする点は、上述した非特許文献１には全く記載されていない。
【図面の簡単な説明】
【００２４】
【図１】本発明の第一実施形態に係るインターネットショッピングシステムの通信構成を示すブロック図である。
【図２】本発明の第一実施形態に係るインターネットショッピングシステムにおけるサーバの電気的構成概要を示すブロック図である。
【図３】本発明の第一実施形態及び第二実施形態に係るインターネットショッピングシステムにおけるサーバの制御部が行う処理を示すフローチャートである。
【図４】本発明の第一実施形態に係るインターネットショッピングシステムにおけるサーバの制御部が行う処理を示すフローチャートである。
【図５】本発明の第二実施形態に係るインターネットショッピングシステムにおけるサーバの制御部が行う処理を示すフローチャートである。
【発明を実施するための形態】
【００２５】
（第一実施形態）
図１乃至図４を参照して、本発明の第一実施形態に係るインターネットショッピングシステムを説明する。
このインターネットショッピングシステムは、贈答品の送り主の端末１と、贈答品の受取人の端末２と、商品の出品者の端末３と、ショッピングサイト（仮想ショッピングモール）の運営者のサーバ１０がインターネット１００を介して接続される。
そして、贈答品の送り主が事前にショッピングサイトの運営者に所定の金額を支払っておき、贈答品の受取人がその金額分の商品をショッピングサイトにある商品の中から選択するものである。
特に、このインターネットショッピングシステムは入学祝い、卒業祝い、中元、歳暮、引き出物、香典返し等の贈答品を送る際に利用される。
【００２６】
送り主の端末１、受取人の端末２、及び出品者の端末３は、家庭や企業に広く普及している一般的なパソコンである。ウェブブラウザを使用してショッピングサイトにアクセス可能な性能を有していれば、それらの端末１，２，３はどのような性能のものであってもよい。
出品者は複数存在し、事前に運営者によってショッピングサイト上に出品（出店）可能かどうかの審査が行われる。
もちろん、送り主及び受取人も複数存在する。
【００２７】
運営者のサーバ１０は、図２に示すように制御部１１と、記憶部１２と、出力用のディスプレイ等からなる出力部１３と、入力用のキーボードやマウス等からなる入力部１４を備えている。
制御部１１は、記憶部１２に記憶された制御プログラムに従ってシステム全体を制御するものであり、ＣＰＵからなる。
記憶部１２は、ＲＯＭやＲＡＭといった記憶媒体からなる。ＲＯＭには、システム全体を制御する制御プログラム等が記憶される。ＲＡＭには商品情報、発行された金額コード、送り主情報、受取人情報、発注情報等が記憶される。
なお、記憶部１２として、ＨＤＤ等の他の記憶媒体が、主に又は補助的に用いられてもよい。
【００２８】
以上のように構成されたインターネットショッピングシステムにおける、サーバ１０の制御部１１が行う制御について、図３及び図４に示すフローチャートを参照して説明する。
まず、サーバ１０の電源を入れた後、システムの初期化を行う（ステップＳ１０１（以下、「ステップ」という語を省略する））。
【００２９】
次に、出品者がどの商品をショッピングサイトで出品するかを決めると、その商品の名称，価格，画像、個数等からなる商品情報を出品者の端末３からショッピングサイトの運営者のサーバ１０に送信する。制御部１１はその商品情報を出品者の端末３から取得し記憶部１２に記憶させる（Ｓ１０２）。
【００３０】
次に、送り主の端末１で贈答品の金額として送る贈答金額とその口数を指定すると、制御部１１は、贈答金額及び口数を送り主の端末１から取得し記憶部１２に記憶させる（Ｓ１０３）。この料金は例えばクレジットカードによって決済される。
【００３１】
次に、制御部１１は、贈答金額に関連付けられるとともに贈答金額を秘匿して直接表示しない金額コードを発行し、送り主の端末１にその金額コードを電子メールで送信する（Ｓ１０４）。又は、制御部１１がこの金額コードを送り主の端末１のウェブブラウザ上で表示可能としてもよい。さらに他のデジタルの方法やアナログの方法でサーバ１０（運営者）から送り主に金額コードを通知してもよい。
一人の送り主が複数の口数の金額コードを購入する場合、それらの贈答金額が互いに同じであっても、互いに異なる金額コードが口数と同じ数だけサーバ１０により用意されることが望ましい。
【００３２】
ここで金額コードは、例えば「ＱＷＥＲＴＹＵＩ」や「ＡＳＤＦＧＨＪＫ」といったアルファベット（数字のみからなるものや、アルファベットと数字が混在していてもよい）をランダムに並べたものであり、贈答金額が５０００円であったとしても金額コードの文字列を人間が見てもこれが５０００円を意味するものとは理解できないものである。
この金額コードはその都度制御部１１が作成して贈答金額に関連付けてもよいし、事前に金額コードと贈答金額が関連付けられた対応表を記憶部１２に記憶させておき記憶部１２から金額コードを読み出してもよい。
【００３３】
次に、送り主の端末１がサーバ１０から金額コードを受け取ると、電子メールや手紙等の何らかの方法（デジタル、アナログを問わない）によって送り主から受取人に対して金額コードが知らされる。
【００３４】
そして、図４に示すように制御部１１はショッピングサイト上で受取人の端末２から金額コードが入力されるまで待つ（Ｓ１０５）。
ここで、金額コードがサーバ１０によって発行されてから例えば６ヶ月以内に受取人の端末２によって金額コードを入力しなければ金額コードを無効にするといった入力期限を設けることもできる。
【００３５】
次に、受取人の端末２において、受け取った金額コードが入力されると（Ｓ１０５）、制御部１１は、金額コードに対応した価格以下の商品全てを抽出し、抽出した商品の価格は非表示の状態でその価格以外の商品情報を受取人の端末２で表示可能にする（Ｓ１０６）。
つまり、受取人の端末２では金額コードに係る金額以下の商品が一覧で表示され、また、商品の名称やその画像、機能の説明は表示されるが、受取人の端末２ではその商品の価格は表示されない。もちろん、受取人の端末２でどのような操作を行っても価格が表示されることはない。
【００３６】
ここで、金額コードに対応した価格以下の商品には、例えば５０００円の贈答金額に対応した金額コードが入力された場合、それに対応する価格帯の商品として例えば４５００円以上５５００円未満の価格の商品を一つの商品群としてグループ分けされ、その価格帯の中で最も高価な商品まで含むようにしてもよい。
なお、商品選択の一巡目では使用可能額は金額コードに対応した価格と等しい。
【００３７】
そして、制御部１１は、抽出された商品の中から受取人の端末２による商品の選択を受け付ける（Ｓ１０７）。
【００３８】
次に、贈答金額と受取人が選択した商品の価格の差額から次回の使用可能額を決定（算出）するとともに、運営者が取り扱っている商品の中の最低価格よりその次回使用可能額が高いかを判断し（Ｓ１０８）、もう一度商品を選択可能ならば受取人の端末２で商品を追加選択させるか選ばせる（１０９）。
【００３９】
使用可能額が残っていない場合や残っていても今は受取人が商品の追加選択をしないと判断した場合には、制御部１１は、受取人の氏名，住所等からなる受取人情報を受取人の端末２から入力させて、取得する（Ｓ１１０）。
【００４０】
最後に、制御部１１は、受取人に選択された商品の商品情報と、商品を選択した受取人の受取人情報とを関連付けて発注情報として保持する（Ｓ１１１）。
この発注情報に基づいて商品の発送の準備が行われる。
【００４１】
仮にＳ１０９で追加選択する旨が受取人の端末２から入力された場合には、Ｓ１０６に戻って二巡目の商品選択となる。
すなわち、使用可能額以下の商品全てをそれらの価格は非表示の状態でその価格以外の商品情報を受取人の端末２で表示可能にして（Ｓ１０６）、商品の選択を受け付ける（Ｓ１０７）。
例えば贈答金額が５０００円であって、一巡目の商品選択（Ｓ１０７）で３０００円の商品（但し、商品の価格は秘匿）を選択した場合、二巡目のＳ１０６では２０００円以下の商品が表示可能（当然、価格は秘匿）である。このとき、仮に１０００円の商品を選択したら、三巡目のＳ１０６では１０００円以下の商品が表示可能である。
【００４２】
以上のように構成及び制御されたインターネットショッピングシステムによれば、金額コードが受取人の端末から入力されると、出品された商品の中から金額コードに対応した価格以下の商品全てを抽出し、受取人はその商品の中から選択できるので、受取人は非常に多くの商品の中から自分の好みにあった商品を選ぶことができる。
つまり、従来の冊子のカタログギフトでは、受取人が手にするカタログは贈答金額に対応した価格帯の商品のみが記載されており、贈答金額よりも安価な商品から受取人が選びたくてもできなかったが、本実施形態に係るインターネットショッピングシステムでは金額コードに対応した価格以下の商品全ての中から受取人は選択可能であり、選択肢が非常に多い。
また、送り主がショッピングサイトの運営者に贈答金額を支払い、その後で受取人に複数の商品の中から自分の好みに合う商品を選択してもらう形態のインターネットショッピングであっても、贈答金額がいくらであるかを受取人に知られずに済む。
【００４３】
また、贈答金額と受取人が選択した商品の価格の差額から使用可能額を決定し、使用可能額以下の商品全てを、それらの価格は非表示の状態でその価格以外の商品情報を受取人の端末で表示可能にし、表示された商品の中から受取人の端末による商品の選択も受け付けるので、受取人が最初に贈答金額よりも安価な商品を選択しても損したと感じず、むしろ複数個の商品を受け取れて受取人の満足度が高くなる。
【００４４】
（第二実施形態）
次に図４及び図５を参照して、本発明の第二実施形態に係るインターネットショッピングシステムを説明する。なお、第一実施形態と同一部分には同一符号を付した。
本実施形態の第一実施形態との違いは、金額コード受け付け後の商品の表示であり、その他の構成要素に関しては第一実施形態と同一である。
【００４５】
まず、サーバ１０の電源を入れた後、システムの初期化を行う（Ｓ１０１）。
次に、制御部１１はその商品情報を出品者の端末３から取得し記憶部１２に記憶させる（Ｓ１０２）。
【００４６】
次に、送り主の端末１で贈答品の金額として送る贈答金額とその口数を指定すると、制御部１１は、贈答金額及び口数を送り主の端末１から取得し記憶部１２に記憶させる（Ｓ１０３）。
次に、制御部１１は、贈答金額に関連付けられるとともに贈答金額を秘匿して直接表示しない金額コードを発行し、送り主の端末１にその金額コードを電子メールで送信する（Ｓ１０４）。
【００４７】
次に、送り主の端末１がサーバ１０から金額コードを受け取ると、電子メール等で送り主から受取人に対して金額コードが知らされ、図５に示すようにショッピングサイト上で受取人の端末２から金額コードが入力されるまで待つ（Ｓ１０５）。
【００４８】
次に、受取人の端末２において、受け取った金額コードが入力されると（Ｓ１０５）、制御部１１は、出品された商品の中から金額コードに対応した価格以下の商品全てを抽出するコースか、又は出品された商品の中から金額コードに対応した価格帯の商品を抽出するコースかのいずれか一つを受取人の端末２に選択させる（Ｓ１１２）。
そして、制御部１１は、選択されたコース側の商品を抽出し、抽出した商品の価格は非表示の状態でその価格以外の商品情報を受取人の端末で表示可能にし（Ｓ１０６，Ｓ１１３）、受取人の端末２による商品の選択を受け付ける（Ｓ１０７）。
【００４９】
次回の使用可能額が残っており（Ｓ１０８）、商品を追加選択する場合には（Ｓ１０９）、Ｓ１１２に戻る。
そして、制御部１１は、受取人の氏名，住所等からなる受取人情報を受取人の端末２から入力させて、取得する（Ｓ１１０）。
最後に、制御部１１は、受取人に選択された商品の商品情報と、商品を選択した受取人の受取人情報とを関連付けて発注情報として保持する（Ｓ１１１）。
【００５０】
以上のように制御されたインターネットショッピングシステムによれば、金額コードが受取人の端末から入力されると、出品された商品の中から金額コードに対応した価格以下の商品全てを抽出するコースか、又は出品された商品の中から金額コードに対応した価格帯の商品を抽出するコースかのいずれか一つを選択させるので、受取人が商品全てを抽出するコースを選択した場合には、受取人は非常に多くの商品の中から自分の好みにあった商品を選ぶことができる。
一方、金額コードに対応した価格帯の商品を抽出するコースを選択した場合には、表示される商品数が制限されるので、受取人が目当ての商品を探し難くなることを防ぐことができる。
また、送り主がショッピングサイトの運営者に贈答金額を支払い、その後で受取人に複数の商品の中から自分の好みに合う商品を選択してもらう形態のインターネットショッピングであっても、贈答金額がいくらであるかを受取人に知られずに済む。
【００５１】
なお、第一、第二実施形態において、Ｓ１０７で商品選択を受付け、受取人の端末２から商品の選択がされた後に、制御部１１は次回の使用可能額と選択した商品の価格の比率を受取人の端末２で表示可能にしてもよい。これは、現在の使用可能額と選択した商品の価格の比率を表示することと同義である。
これにより、再度商品を選ぶために現在の商品選択の調整、すなわち選択のキャンセルをして、使用可能額が無くなるまで商品を無駄なく選ぶことができる。しかも、これは比率の表示に過ぎないので、受取人に対して贈答金額を秘匿したままで行うことができる。
【００５２】
また、Ｓ１０６で使用可能額に対応した価格以下の商品を全て抽出して表示したとき、同じ商品を同時に複数個選択可能にしてもよい。
これにより、同じ商品が複数個欲しい場合の商品選択の手間が少なくなる。
【００５３】
また、Ｓ１０６やＳ１１３で商品情報を表示するとき、商品の価格によらずランダムに価格以外の商品情報を表示可能にしてもよく、この場合、贈答金額の秘匿性がより高くなる。すなわち、商品情報の表示を価格の高い順にすると、受取人が上位に表示された商品を見ることで何となく贈答金額がわかってしまうが、ランダム表示すると贈答金額がいくらであるのかよりわかり難くなる。
もちろん、価格を秘匿して価格の高い順に並べてもよい。
【００５４】
さらに、価格以下の商品全てを表示とは、サイトの表示として複数ページに跨るものも含む。
また、サーバ１０から金額コードを送り主の端末１に通知したが、これに限られるものではなく、サーバ１０から直接受取人の端末２にメール等で金額コードを通知してもよい。
【００５５】
また、このようなインターネットショッピングシステムであっても、通常のインターネットショッピングシステムのように、商品の検索が可能であったり商品がカテゴリ分けされているほうが、サイトの利用者（受取人）にとって簡便である。
【符号の説明】
【００５６】
１      送り主の端末
２      受取人の端末
３      出品者の端末
１０      サーバ
１１      制御部（出品受付手段、贈答金額取得手段、金額コード発行手段、商品表示手段、商品選択受付手段、受取人情報取得手段、発注情報保持手段、商品再表示手段、比率表示手段）
１２      記憶部（発注情報保持手段）
１３      出力部
１４      入力部
１００      ネットワーク（インターネット）
【図１】
2015225391.tif 000003
【図２】
2015225391.tif 000004
【図３】
2015225391.tif 000005
【図４】
2015225391.tif 000006
【図５】
2015225391.tif 000007